(57)【要約】【課題】タイムラプス撮影時において、ユーザが適切に画像を確認することができる撮像装置を提供すること。【解決手段】動画撮影モードが設定されている場合であっても、タイムラプス記録が設定されている場合は、静止画用のライブビュー表示を設定し、ユーザが設定したシャッタ速度で撮影した画像をライブビュー表示することを特徴とする。【選択図】図３
2016082269.tif 000002
【特許請求の範囲】
【請求項１】
ユーザの操作を受け付ける操作部と、
前記操作部より操作を受け付け、静止画記録を行うモードと動画記録を行うモードの一方を設定するモード設定手段と、
動画撮影においてタイムラプス記録を行うかどうかの設定を保存する手段と、
前記操作部よりライブビューを起動する操作を受け付け、動画記録を行うモードであると判断された場合、前記タイムラプス記録が設定されているか判別し、タイムラプス記録が設定されている場合は、静止画ライブビューを起動し、動画記録モードで制限されたシャッタースピードより遅いシャッタースピードを設定することを可能とし、
前記タイムラプス記録が設定されていない場合は、動画ライブビューを起動し、前記静止画ライブビューにおいて、撮影が指示された場合には試し撮り用の静止画撮影を行い、タイムラプス記録の待機状態への遷移が指示された場合には、タイムラプス記録の待機状態へ遷移するように、制御する制御手段を有することを特徴とする撮像装置。
【発明の詳細な説明】
【技術分野】
【０００１】
本発明は、撮像装置に関する。
【背景技術】
【０００２】
従来、デジタルカメラやビデオカメラなどの撮像装置において、インターバル撮影機能を持つものが知られている（特許文献１参照）。インターバル撮影機能とは、ユーザが設定した撮影間隔ごとに、１〜数フレームの画像を撮影、記録する機能である。このようにインターバル撮影により記録された複数フレームの画像を連続して再生することで、花の開花等、長時間にわたる被写体の変化を短時間で見ることができる。インターバル撮影は、タイムラプス撮影とも呼ばれる。
【先行技術文献】
【特許文献】
【０００３】
【特許文献１】特開２００５−２６０３２４号公報
【発明の概要】
【発明が解決しようとする課題】
【０００４】
ところで、静止画ライブビューと動画ライブビューのように、静止画と動画の記録モードにより起動されるライブビューが分かれているカメラにおいて、動画ライブビューでは撮影フレームレートを設定すると、設定可能なシャッタースピードの下限が決まる。例えば、動画ライブビューで撮影フレームレートを３０ｆｐｓに設定すると設定可能なシャッタースピードは１／３０秒より速いシャッタースピードに制限される。静止画ライブビューではそのような制限は受けない。
【０００５】
タイムラプス動画を動画ライブビューで撮影する場合、シャッタースピードは制限され、ユーザが所望する静止画撮影を行うことができない。また、タイムラプス動画の撮影開始を指示する操作が、通常の静止画撮影と同じ操作であった場合、現在の露出で撮影を行い、タイムラプス動画の撮影開始前に事前に撮影結果のイメージを確認できないという課題があった。
【０００６】
本発明は、このような問題を解決し、タイムラプス撮影時において、ユーザが適切に画像を確認することができる撮像装置を提供することを目的とする。
【課題を解決するための手段】
【０００７】
上記の目的を達成するために、本発明の撮像装置は、ユーザの操作を受け付ける操作部と、前記操作部より操作を受け付け、静止画記録を行うモードと動画記録を行うモードの一方を設定するモード設定手段と、動画撮影においてタイムラプス記録を行うかどうかの設定を保存する手段と、前記操作部よりライブビューを起動する操作を受け付け、動画記録を行うモードであると判断された場合、前記タイムラプス記録が設定されているか判別し、タイムラプス記録が設定されている場合は、静止画ライブビューを起動し、動画記録モードで制限されたシャッタースピードより遅いシャッタースピードを設定することを可能とし、前記タイムラプス記録が設定されていない場合は、動画ライブビューを起動し、前記静止画ライブビューにおいて、撮影が指示された場合には試し撮り用の静止画撮影を行い、タイムラプス記録の待機状態への遷移が指示された場合には、タイムラプス記録の待機状態へ遷移するように、制御する制御手段を有することを特徴とする。
【発明の効果】
【０００８】
本発明によれば、タイムラプス撮影時において、ユーザが適切に画像を確認することができる撮像装置の提供を実現できる。
【図面の簡単な説明】
【０００９】
【図１】本実施例を実現するためのデジタルカメラの外観図
【図２】本実施例を実現するためのシステム図
【図３】本実施例における制御のフローチャート
【図４】本実施例における動画記録モード時に遷移される静止画ライブビューの画面例
【図５】図４の静止画ライブビューに遷移する前に表示するガイダンス例
【図６】本実施例におけるタイムラプス動画撮影待機状態の画面例
【図７】本実施例におけるタイムラプス動画設定画面の例
【発明を実施するための形態】
【００１０】
以下、図面を参照して本発明の好適な実施形態を説明する。
【００１１】
図１に本発明の電子機器の一例としてのデジタルカメラの外観図を示す。表示部１１１は撮影画像や各種情報を表示する表示部である。シャッターボタン１１６は撮影指示を行うための操作部である。モードダイアル１１７は各種モードを切り替えるための操作部である。ライブビュー撮影/動画撮影ボタン１２３はユーザーからの操作を受け付け、静止画記録モードでは静止画ライブビューの起動/終了を指示し、動画記録モードでは動画記録の開始/停止を指示する操作部材である。
【００１２】
図２は本実施形態によるデジタルカメラ１００の構成例を示すブロック図である。図２において、撮影レンズ１０４はズームレンズ、フォーカスレンズを含むレンズ群である。シャッター１０５は絞り機能を備えるシャッターである。撮像部１０６は光学像を電気信号に変換するＣＣＤやＣＭＯＳ素子等で構成される撮像素子である。Ａ／Ｄ変換器１０７は、アナログ信号をデジタル信号に変換する。Ａ／Ｄ変換器１０７は、撮像部１０６から出力されるアナログ信号をデジタル信号に変換するために用いられる。バリア１０３は、デジタルカメラ１００の、撮影レンズ１０４を含む撮像系を覆うことにより、撮影レンズ１０４、シャッター１０５、撮像部１０６を含む撮像系の汚れや破損を防止する。
【００１３】
画像処理部１０２は、Ａ／Ｄ変換器１０７からのデータ、又は、メモリ制御部１０８からのデータに対し所定の画素補間、縮小といったリサイズ処理や色変換処理を行う。また、画像処理部１０２では、撮像した画像データを用いて所定の演算処理が行われ、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１０２では更に、撮像した画像データを用いて所定の演算処理を行い、得られた演算結果に基づいてＴＴＬ方式のＡＷＢ（オートホワイトバランス）処理も行っている。
【００１４】
Ａ／Ｄ変換器１０７からの出力データは、画像処理部１０２及びメモリ制御部１０８を介して、或いは、メモリ制御部１０８を介してメモリ１０９に直接書き込まれる。メモリ１０９は、撮像部１０６によって得られＡ／Ｄ変換器１０７によりデジタルデータに変換された画像データや、表示部１１１に表示するための画像データを格納する。メモリ１０９は、所定枚数の静止画像や所定時間の動画像および音声を格納するのに十分な記憶容量を備えている。
【００１５】
また、メモリ１０９は画像表示用のメモリ（ビデオメモリ）を兼ねている。Ｄ／Ａ変換器１１０は、メモリ１０９に格納されている画像表示用のデータをアナログ信号に変換して表示部１１１に供給する。こうして、メモリ１０９に書き込まれた表示用の画像データはＤ／Ａ変換器１１０を介して表示部１１１により表示される。表示部１１１は、ＬＣＤ等の表示器上に、Ｄ／Ａ変換器１１０からのアナログ信号に応じた表示を行う。Ａ／Ｄ変換器１０７によって一度Ａ／Ｄ変換されメモリ１０９に蓄積されたデジタル信号をＤ／Ａ変換器１１０においてアナログ変換し、表示部１１１に逐次転送して表示することで、電子ビューファインダとして機能し、ライブビュー表示を行える。
【００１６】
不揮発性メモリ１１４は、電気的に消去・記録可能なメモリであり、例えばＥＥＰＲＯＭ等が用いられる。不揮発性メモリ１１４には、システム制御部１０１の動作用の定数、プログラム等が記憶される。ここでいう、プログラムとは、本実施形態にて後述する各種フローチャートを実行するためのプログラムのことである。
【００１７】
システム制御部１０１は、デジタルカメラ１００全体を制御する。前述した不揮発性メモリ１１４に記録されたプログラムを実行することで、後述する本実施形態の各処理を実現する。１１３はシステムメモリであり、ＲＡＭが用いられる。システムメモリ１１３には、システム制御部１０１の動作用の定数、変数、不揮発性メモリ１１４から読み出したプログラム等を展開する。また、システム制御部はメモリ１０９、Ｄ／Ａ変換器１１０、表示部１１１等を制御することにより表示制御も行う。
【００１８】
また、不揮発性メモリ１１４は、タイムラプス動画の撮影に関する設定値を記憶する。具体的には、動画記録モードで動画撮影を行う際に、タイムラプス動画撮影をするかしないかの設定値、どのような間隔で撮影した静止画をタイムラプス動画とするかの撮影間隔の設定値、何回の静止画撮影でタイムラプス動画の撮影を終了するかの撮影回数の設定値などである。システムタイマー１１２は各種制御に用いる時間や、タイムラプス動画の間欠記録のための時間、内蔵された時計の時間を計測する計時部である。
【００１９】
モードダイアル１１７、第１シャッタースイッチ１１６a、第２シャッタースイッチ１１６b、ライブビュー撮影/動画撮影ボタン１２３はシステム制御部１０１に各種の動作指示を入力するための操作手段である。
【００２０】
モードダイアル１１７は、システム制御部１０１の動作モードを静止画記録モード、動画記録モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モードダイアル１１７で、静止画記録モードに含まれるこれらのモードのいずれかに直接切り替えられる。あるいは、モードダイアル１１７で静止画記録モードに一旦切り換えた後に、静止画記録モードに含まれるこれらのモードのいずれかに、他の操作部材を用いて切り替えるようにしてもよい。同様に、動画記録モードにも複数のモードが含まれていてもよい。
【００２１】
ライブビュー撮影/動画撮影ボタン１２３により、静止画記録モードでは、静止画ライブビューを起動することが可能である。一方、動画記録モードでは動画ライブビューでのみ撮影が可能であため、動画記録モードでカメラを起動時すると動画ライブビューが起動される。動画ライブビューでは、撮影する動画のフレームレートを設定すると、設定可能なシャッタースピードの下限が決まる。例えば、動画ライブビューで撮影フレームレートを30fpsに設定すると設定可能なシャッタースピードは1/30秒より速いシャッタースピードに制限される。静止画ライブビューではそのような制限は受けない。
【００２２】
ライブビュー撮影/動画撮影ボタン１２３により、動画記録モードでは、ユーザからの操作を受け付け、システム制御部１０１に、動画記録開始/停止を指示する。システム制御部１０１は、動画記録開始通知により、撮像部１０６からの信号読み出しから記録媒体１２３に動画データを書き込む処理を開始し、動画記録停止通知により、撮像部１０６からの信号読み出しの停止および動画データの作成を完了させる。
【００２３】
第１シャッタースイッチ１１６aは、デジタルカメラ１００に設けられたシャッターボタン１１６の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２４】
第２シャッタースイッチ１１６bは、シャッターボタン１１６の操作完了、いわゆる全押し（撮影指示）でＯＮとなり、第２シャッタースイッチ信号ＳＷ２を発生する。システム制御部１０１は、第２シャッタースイッチ信号ＳＷ２により、撮像部１０６からの信号読み出しから記録媒体１２３に画像データを書き込むまでの一連の撮影処理の動作を開始する。
【００２５】
操作部１１５の各操作部材は、表示部１１１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１１１に表示される。また、操作部１１５によりシャッタースピードや絞りなど露出設定を含む各種設定を行うことができる。
【００２６】
電源制御部１１９は、電池検出回路、ＤＣ−ＤＣコンバータ、通電するブロックを切り替えるスイッチ回路等により構成され、電池の装着の有無、電池の種類、電池残量の検出を行う。また、電源制御部１１９は、その検出結果及びシステム制御部１０１の指示に基づいてＤＣ−ＤＣコンバータを制御し、必要な電圧を必要な期間、記録媒体１２３を含む各部へ供給する。
【００２７】
電源部１２０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１２１は、メモリカードやハードディスク等の記録媒体１２２とのインターフェースである。記録媒体１２２は、撮影された画像および動画データを記録するためのメモリカード等の記録媒体であり、半導体メモリや磁気ディスク等から構成される。
【００２８】
上述したデジタルカメラ１００ではタイムラプス動画撮影を行うことが可能である。タイムラプス動画撮影の動作について説明する。動画記録モードにおいて動画ライブビューを起動中にシステム制御部１０１が、ライブビュー撮影/動画撮影ボタン１２３からの動画記録開始通知を受けると、不揮発性メモリ１１４からタイムラプス動画撮影に関する設定を読みだす。不揮発性メモリ１１４から読みだした、タイムラプス動画撮影をするかしないかの設定がするになっていた場合、同様に不揮発性メモリ１１４から読みだした、撮影間隔、撮影回数の設定値を元に、タイムラプス動画撮影を開始する。
【００２９】
タイムラプス動画撮影を開始後、システムタイマー１１２を用いて、前記撮影間隔で、撮像部１０６からの信号を読み出し、記録媒体１２３に設定されたフレームレートとなるよう動画データを記録媒体１２２に書き込む。その後、システム制御部１０１が、ライブビュー撮影/動画撮影ボタン１２３からの動画記録停止通知を受けるか、前記撮影回数での撮影が完了した場合、撮像部１０６からの信号読み出しの停止および動画データの作成を完了する。
【００３０】
以下、図３〜図７を参照して、本発明の実施例の動作を説明する。図３はタイムラプス動画設定時にライブビューを起動し、タイムラプス動画撮影待機状態へ遷移する処理の流れを説明するフローチャートである。
【００３１】
図３において、ライブビュー起動時に、静止画記録を行うモードか動画記録を行うモードかを判断する(Ｓ３０１)。静止画記録を行うモードの場合には静止画ライブビューを起動する(Ｓ３０２)。動画記録を行うモードの場合には、タイムラプス動画撮影をするかしないかの設定がするになっているか否かを判別する(Ｓ３０３)。しないになっている場合には動画ライブビューを起動する(Ｓ３０４)。するになっている場合は、動画記録モードであっても、設定可能なシャッタースピードの下限を限定しない、静止画ライブビューを起動する(Ｓ３０５)。
【００３２】
この際に表示される画面例を図４に示す。この静止画ライブビューでは、撮影される動画のフレームレートによらず、静止画記録モードでのシャッタースピードを操作部１１５により設定可能とする。また、第２シャッタースイッチ１１６bをシステム制御部１０１が受けることで、タイムラプス動画の記録開始前に撮像部１０６からの信号読み出しを行い、表示部１１１に一定時間表示することで、ユーザは露出が適正かどうかを確認し、露出を決定する。この、静止画ライブビュー遷移時に露出を決定するようにユーザに促す、ガイダンス表示を表示部１１１におこなってもよい。
【００３３】
この際に表示される画面例を図５に示す。ガイダンスはタイムアウトにより非表示にしてもよいし、操作部１１５による部材操作により非表示にしてもよい。その後、ライブビュー撮影/動画撮影ボタン１２３が押下されたか否かを判断する(Ｓ３０６)。押下された場合はタイムラプス動画撮影待機状態へ遷移する(Ｓ３０６)。指示されなかった場合はＳ３０５の状態を継続する。タイムラプス動画撮影待機状態では、シャッタースピードや絞りなど露出設定は固定され変更は不可となる。
【００３４】
タイムラプス動画撮影待機状態では、第２シャッタースイッチ１１６bをシステム制御部１０１が受けることで、タイムラプス動画撮影を開始する。また、もう一度露出を設定したいユーザのために、ライブビュー撮影/動画撮影ボタン１２３をシステム制御部１０１が受けることで、S３０５の静止画ライブビュー状態に遷移させてもよい。
【００３５】
タイムラプス動画撮影待機状態の画面例を図６に示す。６０１は第２シャッタースイッチ１１６bの形状を表したアイコンであり、押下することによってタイムラプス撮影を開始することをガイド表示している。６０２はライブビュー撮影/動画撮影ボタン１２３の形状を表したアイコンであり、押下することによって前の画面(Ｓ３０５)に遷移することをガイド表示している。
【００３６】
このように、Ｓ３０５の静止画ライブビュー起動状態とＳ３０６のタイムラプス動画撮影待機状態を分けることで、タイムラプス動画の撮影開始を指示する操作が、通常の静止画撮影と同じ第２シャッタースイッチ１１６bであった場合でも、Ｓ３０５の静止画ライブビュー起動状態で現在の露出で撮影を行い、タイムラプス動画の撮影開始前に事前に撮影結果のイメージを確認ですることが可能となる。
【００３７】
図７によりタイムラプス動画設定画面の例示を行う。表示部１１１に図７に例示されるタイムラプス動画設定画面を表示し、操作部１１５で設定変更を行うことで、不揮発性メモリ１１４に、タイムラプス動画の撮影に関する設定値を記憶する。７０１ではタイムラプス動画撮影をするかしないかの設定を行うことができる。７０２ではどのような間隔で撮影した静止画をタイムラプス動画とするかの撮影間隔の設定を行うことができる。７０３では何回の静止画撮影でタイムラプス動画の撮影を終了するかの撮影回数の設定を行うことができる。
【００３８】
以上、本発明の好ましい実施形態について説明したが、本発明はこれらの実施形態に限定されず、その要旨の範囲内で種々の変形及び変更が可能である。
【００３９】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００４０】
１００  デジタルカメラ、１０４  撮影レンズ、１０５  シャッター、１０６  撮像部、
１１１  表示部、１１６  シャッターボタン、１１７  モードダイアル、
１２３  ライブビュー撮影/動画撮影ボタン
【図１】
2016082269.tif 000003
【図２】
2016082269.tif 000004
【図３】
2016082269.tif 000005
【図４】
2016082269.tif 000006
【図５】
2016082269.tif 000007
【図６】
2016082269.tif 000008
【図７】
2016082269.tif 000009